(57)【特許請求の範囲】
【請求項１】
撮像手段により撮像され、又は画像メモリに記憶したＶＧＡ（640×480ドット）の解像度を有する第１の映像信号を、水平表示サイズ720ドットの解像度を有する第２の映像信号に補間して出力する補間フィルタと、
上記第１の映像信号、又は上記補間フィルタからの上記第２の映像信号を、制御手段により選択的に切替て制御する第１の切替手段と、を有する信号処理手段と、
上記第１の映像信号による、上記ＶＧＡの解像度を有する画像表示駆動用の640ドットの出力用発振周波数信号を生成する、640ドット出力用の第１の発振周波数出力手段と、
上記第２の映像信号による、720ドットの解像度を有する画像表示駆動用の720ドットの出力用発振周波数信号を生成する、720ドット出力用の第２の発振周波数出力手段と、
上記640ドット出力用の第１の発振周波数出力手段からの640ドットの出力用発振周波数信号、または上記720ドット出力用の第２の発振周波数出力手段からの720ドット出力発振周波数信号を、上記制御手段からの表示ドット切替制御信号により選択的に切り替えて表示手段用のドライバに出力する第２の切替手段と、を有する表示用駆動手段と、
上記表示用駆動手段の出力を上記表示手段に出力し、上記640ドット出力発振周波数信号及び720ドット出力発振周波数を用いて640ドット、又は上記720ドットの画像を表示させる撮像装置であって、
上記640ドット出力用の第１の発振周波数出力手段からの640クロック期間に相当する補間フィルタオフ時には、上記640ドット出力発振周波数信号を生成するために、上記720ドット出力用の第２の発振周波数出力手段からの720クロック期間に相当する補間フィルタオン時に出力される上記720ドット出力発振周波数信号手段から発生される720ドット出力発振周波数信号を、720／640倍することを特徴とする撮像装置。
【発明の詳細な説明】
【技術分野】
【０００１】
本発明は、撮像部により撮像された映像信号に信号処理部により信号処理を施した後に、表示部により映像信号による画像を表示させるように映像信号を出力する撮像装置に関する。
【背景技術】
【０００２】
従来、デジタルカメラのカメラ部にて静止画像を撮影する場合、一般的に、信号処理部は撮影された静止画像の映像信号を表示部に対してNTSC（National Television System Committee）あるいはPAL（Phase Alternation by Line）準拠の信号として出力する。これは現行のテレビジョン受像機に画像を表示するためのタイミングジェネレータからの画像表示用駆動信号に対応する表示範囲をそのまま液晶モニタの基準としているためである。
【０００３】
図７は、従来の映像信号の表示部への出力を示す図である。
図７において、カメラ部１により撮像された映像信号Ｖ２またはメモリ８から読み出された映像信号Ｖ２は信号処理部７の補間フィルタ２１に供給される。このときの映像信号Ｖ２は水平表示サイズが640ドット（水平駆動周波数が13.5MHzの場合）である。
【０００４】
補間フィルタ２１は、640ドットx480ドット（VGA（Video Graphics Array））の表示サイズの画像の映像信号を水平表示サイズが640ドット→720ドットになるように変換する補間処理を行って、映像信号Ｖ１を出力する。このときの映像信号Ｖ１は水平表示サイズが720ドット（水平駆動周波数が13.5MHzの場合）である。
【０００５】
信号処理部７からは、映像信号Ｖ１及び制御部１０からの制御信号がシリアル通信部２３を介して表示部９のドライバ２８及びタイミングジェネレータの720ドット出力用発振周波数部２５に供給される。タイミングジェネレータの720ドット出力用発振周波数部２５は、制御部１０からの制御信号に基づいて720ドット出力用発振周波数をドライバ２８に出力する。ドライバ２８は720ドット出力用発振周波数による映像信号Ｖ１の表示用の駆動信号を生成してLCD（Liquid Crystal Display）２９に供給する。LCD２９は、駆動信号により映像信号Ｖ１の画像を表示する。
【０００６】
また、特許文献1には、補間フィルタとして、入力画像データを入力して、各タップにタップ係数を乗算してから加算して出力するトランスバーサル型フィルタと、タップ係数設定手段とを備え、タップ係数は入力画像データに応じて、所定の関数式により決定される画像変換装置という構成により、液晶ディスプレイやプラズマディスプレイなどのマトリクス型表示装置において、画像の解像度変換を行う際の解像度劣化を防止する画像変換装置が開示されている。
【０００７】
【特許文献１】特開2001-331145号公報
【発明の開示】
【発明が解決しようとする課題】
【０００８】
しかし、上述した補間フィルタを使用することにより映像信号の周波数特性に対するレベルが落ち、表示画像の解像度劣化が発生する。このため、高解像度のLCDを使用する場合、この解像度劣化によりLCDの性能を出し切れないという不都合があった。
【０００９】
そこで、本発明の目的は、映像信号の表示画像の解像度劣化が発生することなく、また、高解像度のLCDを使用する場合に、高解像度の画像を良好な表示状態で表示することができる撮像装置を提供することにある。
【課題を解決するための手段】
【００１０】
上記課題を解決し、本発明の目的を達成するため、本発明の撮像装置は、撮像手段により撮像され、又は画像メモリに記憶したＶＧＡ（640×480ドット）の解像度を有する第１の映像信号を、水平表示サイズ720ドットの解像度を有する第２の映像信号に補間して出力する補間フィルタと、第１の映像信号、又は上記補間フィルタからの第２の映像信号を、制御手段により選択的に切替て制御する第１の切替手段と、を有する信号処理手段と、第１の映像信号による、ＶＧＡの解像度を有する画像表示駆動用の640ドットの出力用発振周波数信号を生成する、640ドット出力用の第１の発振周波数出力手段と、第２の映像信号による、720ドットの解像度を有する画像表示駆動用の720ドットの出力用発振周波数信号を生成する、720ドット出力用の第２の発振周波数出力手段と、640ドット出力用の第１の発振周波数出力手段からの640ドットの出力用発振周波数信号、または720ドット出力用の第２の発振周波数出力手段からの720ドット出力発振周波数信号を、制御手段からの表示ドット切替制御信号により選択的に切り替えて表示手段用のドライバに出力する第２の切替手段と、を有する表示用駆動手段と、を備え、表示用駆動手段の出力を表示手段に出力し、640ドット出力発振周波数信号及び720ドット出力発振周波数を用いて640ドット、又は720ドットの画像を表示させる撮像装置である。そして、640ドット出力用の第１の発振周波数出力手段からの640クロック期間に相当する補間フィルタオフ時には、640ドット出力発振周波数信号を生成するために、720ドット出力用の第２の発振周波数出力手段からの720クロック期間に相当する補間フィルタオン時に出力される720ドット出力発振周波数信号手段から発生される720ドット出力発振周波数信号を、720／640倍することを特徴としている。
【００１１】
これにより、補間フィルタにより補間処理を施されたＶＧＡの解像度を有する第１の映像信号、又は640ドットの水平サイズを有する第２の映像信号を、映像信号切替手段により選択することにより、信号処理部からの720ドットの第２の映像信号、又はＶＧＡの解像度を有する第１の映像信号を直接表示部に出力可能となる。
【００１２】
また、表示部では、720ドットの第２の映像信号による720ドットの画像表示用の720ドットの出力用発振周波数信号を生成する、720ドット出力用の第２の発振周波数出力手段以外に、ＶＧＡの解像度を有する画像表示駆動用の640ドットの出力用発振周波数信号を生成する、640ドット出力用の第１の発振周波数出力手段を設ける。
【００１３】
さらに、第２の切替手段により、720ドット出力用の第２の発振周波数出力手段からの720ドット出力発振周波数信号、又は640ドット出力用の第１の発振周波数出力手段からの640ドットの出力用発振周波数信号を制御手段からの表示ドット切替制御信号により選択的に切替て表示手段用のドライバに出力する表示用駆動手段を有する。
【００１４】
これにより、表示手段に画像駆動用の720ドット出力用の第２の発振周波数出力手段からの720ドット出力発振周波数信号を用いて720ドット画像を720ドットの画像表示領域に表示することができるし、又は画像駆動用の640ドット出力用の第１の発振周波数出力手段からの640ドットの出力用発振周波数信号を用いて640ドットの画像を720ドットの画像表示領域に表示することができる。
【００１５】
この時、640ドットのＶＧＡ画像（補間処理なし、640ドット出力用の第１の発振周波数出力手段駆動）表示手段に表示される画像は補間フィルタにより映像信号の周波数特性に対するレベルが落ちることが無く、解像度を向上させることができ、また第２の発振周波数出力手段から出力される720ドット出力発振周波数信号を用いないで（補間処理なし、720ドット出力用の第２の発振周波数出力手段駆動）640ドット出力用の第１の発振周波数出力手段からの640ドットの出力用発振周波数信号を用いることにより、画像を細長にすることなく７２０ドット画像表示領域に表示することができる。
【００１６】
また、640ドットの映像信号は720ドットの映像信号に比べて水平ブランキング期間が長くなるため、ポリシリコンパネルなどプリチャージを行う表示手段（ＬＣＤ）に対して十分なプリチャージ期間を設けることができるため表示動作が良好となる。
【発明の効果】
【００２４】
本発明の撮像装置によれば、ＶＧＡの解像度を有する第１の映像信号又は信号処理部の補間フィルタで補間された第２の映像信号を直接表示手段に出力可能となり、補間フィルタにより解像度が劣化することなく表示手段に画像を表示することができる。
【００２５】
また、信号処理部からの1系統の出力である補間された720ドットの第２の映像信号又は未補間の撮像信号あるいはメモリ出力信号からなる第１の映像信号に対して、駆動用の640ドットの出力用発振周波数信号又は720ドットの出力用発振周波数信号を選択的に切替ることにより、ケーブルを介して映像出力端子に接続されたテレビジョン受像機に720ドットの出力用発振周波数信号を用いて720ドット画像を画像表示領域に表示することができる、また撮像装置に内蔵されるLCDに640ドットの出力用発振周波数信号を用い第１の映像信号による画像を画像表示領域に表示することができる。この時、第１の映像信号に対して640ドットの出力用発振周波数信号を用いることにより、第１の画像は細長になることなく表示手段の画像表示領域に良好に表示することができる。
【００２６】
また、第１の映像信号は第２の映像信号に比べて水平ブランキング期間が長くなるため、ポリシリコンパネルなどプリチャージを行う表示手段に対して十分なプリチャージ期間を設けることができるため画面上の縦スジをなくして表示状態を改善することができる。
【発明を実施するための最良の形態】
【００３０】
図１は、本発明の実施の形態が適用されるデジタルカメラの構成を示すブロック図である。
図１において、カメラ部１は光学系のレンズ２により結像された被写体映像を固体撮像素子（CCD）３より読み出し、Ａ/D(Analog to Digital)変換器4によりディジタルの映像信号として信号処理部７に出力する。制御部１０であるCPU（Central Processing Unit）及びRAM（Random Access Memory）は、キーなどの入力部１２及びメモリ１１である書き換え可能なフラッシュ（Flush）ROM（read only Memory）と接続される。
【００３１】
画像メモリ８であるSD（Synchronous Dynamic）RAMは信号処理部７であるDSP（Digital Signal Processor）により処理された画像データを一時的に記憶する。信号処理部７であるDSPはカメラ部１から取り込んだ映像信号に自動露出やホワイトバランス処理等を行う。また信号処理部７であるDSPは、制御部１０のCPUから圧縮の要求があった場合は画像メモリ８であるSDRAMに一時的に記憶されている画像データの圧縮処理を行い、結果を制御部１０のRAMに転送し、伸張の要求があった場合は制御部１０のRAMに記憶したデータの伸張処理を行い、その結果を画像メモリ８のSDRAMに転送する。
【００３２】
制御部１０のCPUはメモリ１１である書き換え可能なフラッシュ（Flush）ROMに記録されているプログラムを実行し、撮像装置であるデジタルカメラ全体の制御を行う。制御部１０のCPUは、レンズ駆動部５の駆動信号を制御して光学系のレンズ２を光軸方向に移動させてフォーカスを制御する。制御部１０のCPUは、カメラ部１のタイミングジェネレータ６のタイミング信号を制御して固体撮像素子（CCD）３の撮像タイミングを制御する。
【００３３】
表示部８には信号処理部７であるDSPを介して画像メモリ８であるSDRAMに一時記憶されている画像データが表示され、また、画像メモリ８であるSDRAMに一時記憶されている画像データに文字情報などを重ねたOSD（On Screen Display）を加えた画像が表示される。
【００３４】
また、制御部１０のCPUと外部記憶部との接続を行うインターフェースが設けられている。また、信号処理部７であるDSPには、ケーブルを介して外部のテレビジョン受像機に接続可能な映像出力端子が設けられている。
【００３５】
外部記憶部は、記録時は制御部１０であるRAMに一時記憶されている映像圧縮信号を書き込み、再生時は記憶されている映像圧縮信号を制御部１０であるRAMへ読み出す。
【００３６】
また、入力部１２は、制御部１０のCPUに対して、動作選択、各種モード設定、パラメータ設定等を可能とする。
【００３７】
また、メモリ１１である書き換え可能なフラッシュ（Flush）ROMは、入力部１２による選択、設定の結果を記憶する。
【００３８】
図２は、本発明の実施の形態による映像信号処理表示装置の構成を示すブロック図である。
図２において、カメラ部１により撮像された映像信号Ｖ２またはメモリ８から読み出された映像信号Ｖ２は信号処理部７の補間フィルタ２１に供給される。このときの映像信号Ｖ２は水平表示サイズが640ドット（水平駆動周波数が13.5MHzの場合）である。
【００３９】
補間フィルタ２１は、640ドットx480ドット(VGA)の表示サイズの画像の映像信号を水平表示サイズが640ドット→720ドットになるように変換する補間処理を行って、映像信号Ｖ１をスイッチ２２の固定接点ｂに出力する。このときの映像信号Ｖ１は水平表示サイズが720ドット（水平駆動周波数が13.5MHzの場合）である。また、映像信号Ｖ２は固定接点aに供給される。
【００４０】
ここで、スイッチ２２の可動接点ｃには制御部１０から補間フィルタ切替信号ｃ１が供給されている。これにより、補間フィルタ２１による補間処理を施された第２の映像信号Ｖ１または第１の映像信号Ｖ２を、スイッチ２２により選択することにより、信号処理部７から補間された第２の映像信号Ｖ１又は未補間の第１の映像信号Ｖ２を直接表示部９に出力可能となる。
【００４１】
信号処理部７からは、第２の映像信号Ｖ１または第１の映像信号Ｖ２及び制御部１０からの表示モード切替信号ｃ２がシリアル通信部２３を介して表示部９のドライバ２８及びスイッチ２７の可動接点ｃに供給される。
【００４２】
ここで、表示部９のタイミングジェネレータには、720ドット出力用発振周波数部２５と、640ドット出力用発振周波数部26とが設けられている。640ドット出力用発振周波数部26からの640ドット画像駆動信号の発振周波数は、720ドット出力用発振周波数部２５からの720ドット画像駆動信号の発振周波数を、LCD２９の720ドット画像表示領域における720ドット画像の表示ドット数／640ドット画像の表示ドット数である720／640（９／８）倍するように設けられる。
【００４３】
720ドット出力用発振周波数部２５は720ドット出力用発振周波数をスイッチ２７の固定接点ｂに出力する。640ドット出力用発振周波数部26は640ドット出力用発振周波数をスイッチ２７の固定接点aに出力する。
【００４４】
スイッチ２７は、スイッチ２２の切替に対応して、切替動作を行うように制御される。つまり、スイッチ２２の固定接点ｂと可動接点cとが接続されるとき（補間フィルタオン時）は、スイッチ２７の固定接点ｂと可動接点cとが接続され（720ドット出力モード）、また、スイッチ２２の固定接点aと可動接点cとが接続されるとき（補間フィルタオフ時）は、スイッチ２７の固定接点aと可動接点cとが接続される（640ドット出力モード）。
【００４５】
スイッチ２２の固定接点ｂと可動接点cとが接続される（補間フィルタオン時）と共に、スイッチ２７の固定接点ｂと可動接点cとが接続されるとき（720ドット出力モード）、タイミングジェネレータの720ドット出力用発振周波数部２５は、制御部１０からの表示モード切替信号ｃ２に基づいて720ドット出力用発振周波数をドライバ２８に出力する。
【００４６】
ドライバ２８は720ドット出力用発振周波数による第２の映像信号Ｖ１の表示用の720ドットの駆動信号を生成してLCD２９に供給する。LCD２９は、720ドットの駆動信号により720ドットの第２の映像信号Ｖ１の画像を表示手段に表示する。
【００４７】
スイッチ２２の固定接点aと可動接点cとが接続される（補間フィルタオフ時）と共に、スイッチ２７の固定接点aと可動接点cとが接続されるとき（640ドット出力モード）、タイミングジェネレータの640ドット出力用発振周波数部26は、制御部１０からの表示モード切替信号ｃ２に基づいて640ドット出力用発振周波数をドライバ２８に出力する。
【００４８】
ドライバ２８は640ドット出力用発振周波数による第１の映像信号Ｖ２の表示用の駆動信号を生成してLCD２９に供給する。LCD２９は、駆動信号により第1の映像信号Ｖ２の画像を表示手段に表示する。
【００４９】
図３は、信号処理部側出力仕様の一例を示す図であり、図３Ａは水平映像信号出力，図３Ｂは補間フィルタオフ時映像信号出力，図３Ｃは補間フィルタオン時映像信号出力，図３Ｄはプリチャージパルス（補間フィルタオフ時），図３Ｅはプリチャージパルス（補間フィルタオン時）である。
【００５０】
図３Aにおいて示すように、水平映像信号出力は、T１時点からT７時点までの1周期の８５８クロックの期間に対して、T１時点からT２時点までの６４クロックの期間を除いた期間となる。
【００５１】
また、図３Ｂにおいて示すように、補間フィルタオフ時映像信号出力は、T１時点からＴ7時点までの１周期の858クロックの期間に対して、T１時点からＴ4時点までの162クロックの期間及びT５時点からT７時点までの期間を除いたT４時点からＴ5時点までの640クロックの期間となる。
【００５２】
また、図３Ｃにおいて示すように、補間フィルタオン時映像信号出力は、T１時点からＴ7時点までの１周期の858クロックの期間に対して、T１時点からＴ3時点までの122クロックの期間及びT６時点からT７時点までの期間を除いたT３時点からT６時点までの720クロックの期間となる。
【００５３】
また、図３Ｄにおいて示すように、プリチャージパルス（補間フィルタオフ時）は、T１時点からT４時点までの１６２クロックの水平ブランキングの期間に十分な時間で生成される。これにより、ポリシリコンパネルなどプリチャージを行う表示手段に対して十分なプリチャージ期間を設けることができるため縦スジをなくして表示状態を改善することができる。
【００５４】
また、図３Ｅにおいて示すように、プリチャージパルス（補間フィルタオン時）、T１時点からT３時点までの１２２クロックの垂直ブランキングの期間に比較的短い時間で生成される。
【００５５】
図４は、モードによる表示の一例を示す図であり、図４Ａは補間フィルタオン及び720ドット出力モード，図４Ｂは補間フィルタオフ及び720ドット出力モード，図４Ｃは補間フィルタオフ及び640ドット出力モードである。
【００５６】
図４Ａにおいて示すように、補間フィルタオン及び720ドット出力モードでは、VGA画像４１に対して、４２で示すように補間処理及び720ドット出力用LCD駆動を行うことにより、LCD表示４３は、４４で示すように周波数特性の低下した画像となる。
【００５７】
また、図４Ｂにおいて示すように、補間フィルタオフ及び720ドット出力モードでは、VGA画像４１に対して、４５で示すように補間処理なし及び720ドット出力用LCD駆動を行うことにより、LCD表示４６は、４７で示すように解像度は向上するが、細長い表示の画像となる。
【００５８】
また、図４Ｃにおいて示すように、補間フィルタオフ及び640ドット出力モードでは、VGA画像４１に対して、４８で示すように補間処理なし及び640ドット出力用LCD駆動を行うことにより、LCD表示４９は、５０で示すように解像度は向上すると共に、細長い表示とはならずに表示が改善された画像となる。
【００５９】
図５は、LCD駆動回路によるLCDへの表示方法を示す図であり、図５Ａは水平映像信号出力，図５Ｂは補間フィルタオフ時映像信号出力，図５Ｃは補間フィルタオン時映像信号出力である。
【００６０】
図５Aにおいて示すように、水平映像信号出力は、T１時点からＴ7時点までの１周期の858クロックの期間に対して、T１時点からT２時点までの６４クロックの期間を除いた期間となる。
【００６１】
また、図５Ｂにおいて示すように、補間フィルタオフ時映像信号出力は、T１時点からＴ7時点までの１周期の858クロックの期間に対して、T１時点からＴ4時点までの162クロックの期間及びT５時点からT７時点までの期間を除いたT４時点からＴ5時点までの640クロックの期間となる。
【００６２】
また、図５Ｃにおいて示すように、補間フィルタオン時映像信号出力は、T１時点からＴ7時点までの１周期の858クロックの期間に対して、T１時点からT３時点までの122クロックの期間及びT６時点からT７時点までの期間を除いたT３時点からＴ6時点までの720クロックの期間となる。
【００６３】
ここで、５２で示すように720ドット出力モードでは、LCD表示領域５１に対応するように、図５Ｃに示すT３時点からＴ6時点までの720クロックの期間の補間フィルタオン時映像信号出力を出力する。
【００６４】
また、５３で示すように640ドット出力モードでは、LCD表示領域５１に対応するように、図５Ｂに示すT４時点からＴ5時点までの640クロックの期間の補間フィルタオフ時映像信号出力を出力する。
【００６５】
このとき、640クロックの期間の補間フィルタオフ時映像信号出力を生成するための発振周波数は、720クロックの期間の補間フィルタオン時映像信号出力を生成するための発振周波数を、720／640倍される。
【００６６】
これにより、640クロックの期間の補間フィルタオフ時映像信号出力による画像は720クロックの期間の補間フィルタオン時映像信号出力による画像と同等に高画質で細長く表示されることなく良好にLCD表示領域５１に表示される。
【００６７】
図６は、LCD表示装置の構成を示す図である。図６は、ポリシリコンパネルなどプリチャージを行う液晶表示パネル６１の構成を示す図である。
図６において、信号処理部７からLCD駆動回路２４を介して640ドット映像信号Ｖ２がポリシリコン液晶表示パネル６１の水平シフトレジスタ６１とデータライン６６との間に設けられたアナログスイッチ６４のソースに供給される。LCD駆動回路２４から640ドット出力用駆動信号Ｄがポリシリコン液晶表示パネル６１の水平シフトレジスタ６１及び垂直シフトレジスタ６３に供給される。
【００６８】
640ドット出力用駆動信号Ｄにより水平シフトレジスタ６１が順次動作するとアナログスイッチ６４のゲートが順次開き、アナログスイッチ６４のソースに供給されている640ドット映像信号Ｖ２がアナログスイッチ６４のドレインから順次データライン６６に供給される。
【００６９】
640ドット出力用駆動信号Ｄにより水平シフトレジスタ６１が順次動作すると640ドット映像信号Ｖ２がゲートライン６５に供給される。データライン６６により各画素を構成するTFT６７に順次蓄積されている電荷がゲートライン６５により順次読み出される。
【００７０】
次に補間フィルタオフで640ドット映像信号Ｖ２を出力する事でもう一つの利点を説明する。
ポリシリコン液晶表示パネル６１で発生する縦スジ改善としてプリチャージという方式がある。ポリシリコン液晶表示パネル６１は図6のような構成になっておりデータライン６６により各画素を構成するTFT67に対して複数ドット同時書き込みを行っているため
データライン６６に電荷を蓄える時間が少ない。
【００７１】
このため、トランジスタばらつきによりこのチャージ量が不均一になると縦スジが発生する要因となる。
そこで水平ブランキング期間中データライン６６に電荷を事前に蓄える事で上記不均一を少なくする方法がプリチャージ方式であり、一般的にプリチャージ時間が長い方が縦スジに有利である。
【００７２】
補間フィルタオフで640ドット映像信号Ｖ２を出力する場合、図3Bのような出力仕様とすると現行に対してT１からT４で示す水平ブランキング期間が、図3Cの補間フィルタオンで720ドット映像信号Ｖ１を出力する場合のT１からT３の期間に比べて長くなる。
そのため、十分なプリチャージ期間を設ける事が出来るため縦スジの発生をなくして画像表示を改善することができる。
【００７３】
上述したように、信号処理部７側ではテレビジョン受像機又はLCDへの画像表示ができるように画像表示の真円率を考慮し、補間フィルタ２１を用いて水平ドット数を640→720ドット（水平駆動信号13.5MHz）に変換し出力している。この時、補間フィルタ２１により映像信号の周波数特性に対するレベルが落ちる問題があった。
【００７４】
VGA画像（640ドット×480ドット）の理論的な水平解像度は480本であり、これに相当する高解像度LCDを使用する場合、映像信号の周波数特性に対するレベルが落ちるとデバイスの性能を生かしきれないため改善の必要があった。
そこで、本実施の形態では、信号処理部７側では、補間フィルタ２１による補間処理をオン又はオフにするスイッチ２２を設けた。
【００７５】
また、補間フィルタ２１をオフにした状態で従来のLCD用駆動回路２４にて表示を行うと、LCD２９にて表示された画像は補間フィルタ２１をオンにした画像に対して解像度は良くなるが図４Bのように細長く表示される欠点があった。
【００７６】
これは通常のLCD用駆動回路２４がLCD２９へ出力する映像信号が720ドット（水平駆動信号13.5MHz）として想定してタイミングを設計しているため、補間フィルタ２１をオンにした画像に比べて、LCD２９の画像の表示では640/720倍に圧縮されるためである。
【００７７】
そのためLCD用駆動回路２４側は補間フィルタ２１をオンにした画像の表示に対応する以外に、補間フィルタ２１をオフにした画像の表示に対応するように、ドライバ２８に供給する発振周波数を720/640倍にしたモード（640ドット出力モード）を用意した。
【００７８】
信号処理部７側にて640ドット映像信号V２を出力する場合には、これに対応してLCD用駆動回路２４側は640ドット出力モードにて発振周波数を設定することで、図４Cのように最適に画像を表示することが可能となる。
【００７９】
また、制御部１０にて下記のように設定の切り替えを行うことで、テレビジョン受像機及びLCDに対して同時に画像表示をさせない装置では、信号処理部７の映像信号出力をいずれかの1系統としても高解像度LCDに高解像度の画像を表示することが可能となる。
【００８０】
テレビジョン受像機に画像表示をさせる場合は信号処理部７側にて補間フィルタ２１をオンに設定し、LCD用駆動回路２４を720ドット出力モードに設定すする。また、LCDに画像表示をさせる場合は信号処理部７側にて補間フィルタ２１をオフに設定し、LCD用駆動回路２４を640ドット出力モードに設定する。
【００８１】
これにより、信号処理部７側にて補間フィルタ２１による補間処理をオフにするスイッチ２２を設ける共に、LCD用駆動回路２４にて640ドット出力モードを用意する事で補間フィルタ２１による解像度劣化無しでLCDへの画像の表示が可能となる。
【図面の簡単な説明】
【００８２】
【図１】本発明の実施の形態が適用されるデジタルカメラの構成を示すブロック図である。
【図２】本発明の実施の形態による映像信号処理表示装置の構成を示すブロック図である。
【図３】信号処理部側出力仕様の一例を示す図であり、図３Ａは水平映像信号出力，図３Ｂは補間フィルタオフ時映像信号出力，図３Ｃは補間フィルタオン時映像信号出力，図３Ｄはプリチャージパルス（補間フィルタオフ時），図３Ｅはプリチャージパルス（補間フィルタオン時）である。
【図４】モードによる表示の一例を示す図であり、図４Ａは補間フィルタオン及び720ドット出力モード，図４Ｂは補間フィルタオフ及び720ドット出力モード，図４Ｃは補間フィルタオフ及び640ドット出力モードである。
【図５】LCD駆動回路によるLCDへの表示方法を示す図であり、図５Ａは水平映像信号出力，図５Ｂは補間フィルタオフ時映像信号出力，図５Ｃは補間フィルタオン時映像信号出力である。
【図６】LCD表示装置の構成を示す図である。
【図７】従来の映像信号の表示部への出力を示す図である。
【符号の説明】
【００８３】
１…カメラ部、２…レンズ、３…CCD、4…Ａ/D、5…レンズ駆動部、6…タイミングジェネレータ、７…信号処理部、８…メモリ、９…表示部、１０…制御部、１１…メモリ、１２…入力部、V１…720ドット映像信号、Ｖ２…640ドット映像信号、２１…補間フィルタ、２２…スイッチ、２３…シリアル通信部、２４…LCD用駆動回路、２５…720ドット出力用発振周波数部、２６…640ドット出力用発振周波数部、２７…スイッチ、２８…ドライバ、C１…補間フィルタ切替信号、C２…表示モード切替信号、２９…LCD、４１…VGA画像、４２…補間処理及び720ドット出力用LCD駆動、4３…LCD表示、４４…周波数特性レベル低下画像、４５…補間処理なし及び720ドット出力用LCD駆動、4６…LCD表示、４７…解像度向上、細長表示画像、４８…補間処理なし及び640ドット出力用LCD駆動、４９…LCD表示、５０…解像度向上、表示改善画像、５１…LCD表示領域、５２…720ドット出力モード、５３…640ドット出力モード、６１…ポリシリコン液晶表示パネル
【図１】
0004419506.tif 000002
【図２】
0004419506.tif 000003
【図３】
0004419506.tif 000004
【図４】
0004419506.tif 000005
【図５】
0004419506.tif 000006
【図６】
0004419506.tif 000007
【図７】
0004419506.tif 000008